(57)【要約】【課題】簡単な構造で横漏れを抑制する。【解決手段】吸収性物品１は、長手方向および長手方向に垂直な幅方向に広がる略シート状の吸収コア２２と、吸収コア２２の着用者側の主面を覆うトップシート２１と、吸収コア２２の他方の主面を覆うバックシート２３とを備える。吸収性物品１の使用時において、股下部１１における吸収コア２２の各側部２２１が、着用者側に向かって立ち上がった側部起立状態が形成される。少なくとも側部起立状態において、トップシート２１が、各側部２２１の縁部２２２とバックシート２３との間に入り込んだ入込部２１１と、入込部２１１から幅方向の外側へと広がる外延部２１２とを備える。吸収性物品１では、簡単な構造で横漏れを抑制することができる。【選択図】図３
2019195556.tif 000002
【特許請求の範囲】
【請求項１】
着用者からの排泄物を受ける吸収性物品であって、
長手方向および前記長手方向に垂直な幅方向に広がる略シート状の吸収コアと、
前記吸収コアの着用者側の主面を覆うトップシートと、
前記吸収コアの他方の主面を覆うバックシートと、
を備え、
前記吸収性物品の使用時において、股下部における前記吸収コアの各側部が、着用者側に向かって立ち上がった側部起立状態が形成され、
少なくとも前記側部起立状態において、前記トップシートが、前記各側部の縁部と前記バックシートとの間に入り込んだ入込部と、前記入込部から前記幅方向の外側へと広がる外延部とを備えることを特徴とする吸収性物品。
【請求項２】
請求項１に記載の吸収性物品であって、
前記各側部の前記縁部と前記バックシートとの間が非接合であり、
前記幅方向における前記各側部の外側において前記トップシートと前記バックシートとが接合されていることを特徴とする吸収性物品。
【請求項３】
請求項２に記載の吸収性物品であって、
前記各側部の前記縁部と前記トップシートとが接合されていることを特徴とする吸収性物品。
【請求項４】
請求項２または３に記載の吸収性物品であって、
前記吸収性物品を前記長手方向および前記幅方向に伸張した状態において、前記各側部の前記縁部が前記バックシートと接触することを特徴とする吸収性物品。
【請求項５】
請求項１ないし４のいずれか１つに記載の吸収性物品であって、
前記幅方向における前記各側部の外側において前記長手方向に延びる弾性部材をさらに備え、
前記弾性部材の収縮により、前記側部起立状態が形成されることを特徴とする吸収性物品。
【請求項６】
請求項１ないし５のいずれか１つに記載の吸収性物品であって、
前記吸収性物品が包装袋に収容された状態において、前記股下部における前記吸収コアの両側部が、前記長手方向に延びる２つの折曲線により前記トップシート側に折り曲げられることを特徴とする吸収性物品。
【請求項７】
請求項１ないし６のいずれか１つに記載の吸収性物品であって、
前記吸収性物品の使用時において、前記トップシートの前記外延部が最も着用者側に配置されるシートであることを特徴とする吸収性物品。
【発明の詳細な説明】
【技術分野】
【０００１】
本発明は、吸収性物品に関する。
【背景技術】
【０００２】
従来、使い捨ておむつ等の吸収性物品が利用されている。例えば、特許文献１の吸収性物品では、略縦長の吸収コアの前方部および後方部のそれぞれに、両側縁から幅方向内方に向かって切れ込んだ一対の切り欠き部が設けられる。また、吸収コアの両側部において切り欠き部よりも幅方向内方の位置に、長手方向に延びる一対のスリット部が設けられる。特許文献１の吸収性物品では、吸収コアを船形の立体形状に変形することができ、液漏れが抑制される。
【０００３】
また、特許文献２では、吸収コアの肌当接面側の全域を覆う表面シートが、吸収コアの非肌当接面側の幅方向両側部近傍も被覆するおむつが開示されている。当該おむつでは、表面シートの両側端部が、非肌当接面側で防漏カフ形成用シートに接合固定される。また、弾性部材により吸収コアの両側部が起立し、当該側部と防漏カフ形成用シートとの間にポケットが形成される。特許文献２のおむつでは、当該ポケットにより、排泄物が漏れ出すことが防止される。
【先行技術文献】
【特許文献】
【０００４】
【特許文献１】特開２００８−９３２８９号公報
【特許文献２】特開２００６−１４１７６７号公報
【発明の概要】
【発明が解決しようとする課題】
【０００５】
ところで、特許文献２のおむつでは、ポケットの形成により横漏れを抑制することが可能となるが、ポケットを形成するために防漏カフ形成用シート（サイドシートとも呼ばれる。）を設け、さらに、表面シートの両側端部を吸収コアの非肌当接面側で防漏カフ形成用シートに接合する必要があり、おむつの構造が複雑となる。
【０００６】
本発明は上記課題に鑑みなされたものであり、簡単な構造で横漏れを抑制することを目的としている。
【課題を解決するための手段】
【０００７】
請求項１に記載の発明は、着用者からの排泄物を受ける吸収性物品であって、長手方向および前記長手方向に垂直な幅方向に広がる略シート状の吸収コアと、前記吸収コアの着用者側の主面を覆うトップシートと、前記吸収コアの他方の主面を覆うバックシートとを備え、前記吸収性物品の使用時において、股下部における前記吸収コアの各側部が、着用者側に向かって立ち上がった側部起立状態が形成され、少なくとも前記側部起立状態において、前記トップシートが、前記各側部の縁部と前記バックシートとの間に入り込んだ入込部と、前記入込部から前記幅方向の外側へと広がる外延部とを備える。
【０００８】
請求項２に記載の発明は、請求項１に記載の吸収性物品であって、前記各側部の前記縁部と前記バックシートとの間が非接合であり、前記幅方向における前記各側部の外側において前記トップシートと前記バックシートとが接合されている。
【０００９】
請求項３に記載の発明は、請求項２に記載の吸収性物品であって、前記各側部の前記縁部と前記トップシートとが接合されている。
【００１０】
請求項４に記載の発明は、請求項２または３に記載の吸収性物品であって、前記吸収性物品を前記長手方向および前記幅方向に伸張した状態において、前記各側部の前記縁部が前記バックシートと接触する。
【００１１】
請求項５に記載の発明は、請求項１ないし４のいずれか１つに記載の吸収性物品であって、前記幅方向における前記各側部の外側において前記長手方向に延びる弾性部材をさらに備え、前記弾性部材の収縮により、前記側部起立状態が形成される。
【００１２】
請求項６に記載の発明は、請求項１ないし５のいずれか１つに記載の吸収性物品であって、前記吸収性物品が包装袋に収容された状態において、前記股下部における前記吸収コアの両側部が、前記長手方向に延びる２つの折曲線により前記トップシート側に折り曲げられる。
【００１３】
請求項７に記載の発明は、請求項１ないし６のいずれか１つに記載の吸収性物品であって、前記吸収性物品の使用時において、前記トップシートの前記外延部が最も着用者側に配置されるシートである。
【発明の効果】
【００１４】
本発明によれば、簡単な構造で横漏れを抑制することができる。
【図面の簡単な説明】
【００１５】
【図１】伸張状態における吸収性物品の平面図である。
【図２】伸張状態における吸収性物品の断面図である。
【図３】伸張していない状態における吸収性物品の断面図である。
【図４】吸収性物品の他の例を示す図である。
【図５】使用時における吸収性物品の断面図である。
【発明を実施するための形態】
【００１６】
図１は、本発明の一の形態に係る吸収性物品１を示す平面図である。図１では、吸収性物品１を図１の上下方向および左右方向（後述の長手方向および幅方向）に伸張した状態を示している。吸収性物品１は、着用者が着用する使い捨ておむつ等の外装物品の内側（すなわち、着用者側）に取り付けられて着用者からの尿等の排泄物を受ける補助吸収パッドである。補助吸収パッドは、インナーとも呼ばれる。図１では、着用時に着用者に接する側の面を手前にして吸収性物品１を描いている。
【００１７】
吸収性物品１の図１中における上側の部位１２および下側の部位１３のうち一方は、着用者の腹側の肌に接する前方部であり、他方は背側の肌に接する後方部である。また、前方部と後方部との間の部位は、着用者の股間部に対向する股下部１１である。前方部、股下部１１および後方部が並ぶ方向が、吸収性物品１の長手方向となる。
【００１８】
図２は、吸収性物品１を図１中に示すII−IIの位置で長手方向に垂直な面で切断した断面図である。図２では、長手方向、および、長手方向に垂直な幅方向に吸収性物品１を伸張した状態における股下部１１の断面を示している。図示の都合上、図２では、吸収性物品１の各構成を厚さ方向に離して描いている（後述の図３ないし図５において同様）。
【００１９】
吸収性物品１は、透液性のトップシート２１と、撥水性または不透液性のバックシート２３と、略シート状の吸収コア２２とを備える。吸収コア２２は、長手方向および幅方向に広がり、トップシート２１とバックシート２３との間に配置される。図１では、図の理解を容易にするために、吸収コア２２の輪郭を太い破線にて描いている。図１に示すように、吸収性物品１の外形、および、吸収コア２２の外形は、平面視において長手方向に長い略長方形である。吸収性物品１の外形、および、吸収コア２２の外形は、他の形状であってもよく、例えば、前方部および後方部における幅が、股下部１１における幅よりも大きい形状であってもよい。
【００２０】
トップシート２１およびバックシート２３の長手方向の長さおよび幅方向の幅は、吸収コア２２の長さおよび幅よりも大きい。図２に示すように、トップシート２１は、吸収コア２２の着用者側の主面（以下、「上面」という。）を覆う。バックシート２３は、吸収コア２２の他方の主面、すなわち、着用者とは反対側の主面（以下、「下面」という。）を覆う。本明細書において、「上面」および「下面」は便宜的なものであり、必ずしも重力方向を意味するものではない。
【００２１】
図１の例では、トップシート２１およびバックシート２３は、ほぼ同じ大きさであり、トップシート２１およびバックシート２３の外形が、吸収性物品１の外形となる。既述のように、トップシート２１およびバックシート２３は、吸収コア２２より大きく、吸収コア２２の全体が、トップシート２１およびバックシート２３の外周縁の内側に位置する。後述するように、吸収コア２２の周りにおいて、トップシート２１とバックシート２３とが互いに接合される。
【００２２】
トップシート２１は、着用者からの排泄物の水分を速やかに捕捉して吸収コア２２へと移動させる。吸収コア２２は、トップシート２１を透過した水分を吸収して迅速に固定する。バックシート２３は、バックシート２３に到達した排泄物の水分等が、吸収性物品１の外側にしみ出すことを防止する。
【００２３】
トップシート２１としては、例えば、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。なお、トップシート２１として、セルロースやレーヨン、コットン等の親水性繊維により形成された不織布（例えば、スパンレース不織布）が利用されてもよい。
【００２４】
吸収コア２２は、例えば、粉砕したパルプ繊維やセルロース繊維等の親水性繊維に、粒状の高吸収性ポリマー（ＳＡＰ（Super Absorbent Polymer））や高吸収性ファイバー等の高吸収性材料を混合したものをティッシュペーパーや透液性不織布等により包み込んで形成される。当該ティッシュペーパーや透液性不織布等は、親水性繊維および高吸収性材料とホットメルト接着剤により接合され、親水性繊維の型崩れ、および、高吸収性材料の脱落（特に、吸水後における脱落）が防止される。本実施の形態では、吸収コア２２はパルプ繊維およびＳＡＰを含む。吸収コア２２が、透液性のシート間に高吸収性材料が配置された、いわゆるポリマーシートであってもよい。
【００２５】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、いずれかの不織布とプラスチックフィルムとが積層された積層シート等が利用される。吸収性物品１のムレを防止して着用者の快適性を向上するという観点からは、バックシート２３にて利用されるプラスチックフィルムは、透湿性（通気性）を有するものが好ましい。
【００２６】
次に、股下部１１において、バックシート２３、トップシート２１および吸収コア２２が互いに接合される領域について述べる。図２に示すように、股下部１１における吸収コア２２の各側部２２１（幅方向における吸収コア２２の各端部）では、縁部２２２の上面が、第１接合部３１によりトップシート２１と接合される。縁部２２２は、当該側部２２１において長手方向に沿うエッジ近傍の部位である。第１接合部３１は、例えば、硬化したホットメルト接着剤である。第１接合部３１は、股下部１１において長手方向に延びる。両側部２２１にそれぞれ設けられる２つの第１接合部３１の間では、吸収コア２２の上面が部分接合部３３によりトップシート２１と接合される。部分接合部３３は、例えば、硬化したホットメルト接着剤であり、吸収コア２２の上面において２つの第１接合部３１の間の領域に部分的に存在する。図２では、部分接合部３３を破線の矩形により示している（後述の部分接合部３４において同様）。２つの第１接合部３１の間において、吸収コア２２とトップシート２１とが非接合であってもよい。
【００２７】
各側部２２１の縁部２２２において、幅方向の外側を向く側面と、トップシート２１およびバックシート２３との間は非接合である。また、縁部２２２の下面とバックシート２３との間も非接合である。したがって、吸収コア２２の側部２２１では、幅方向における第１接合部３１の外側の縁を始点として、上記側面を経由して縁部２２２の下面に至るまでの領域が、トップシート２１およびバックシート２３に接合されない非接合領域２２３となる。非接合領域２２３は、股下部１１において長手方向に延びる。両側部２２１にそれぞれ設けられる２つの非接合領域２２３の間では、吸収コア２２の下面が部分接合部３４によりバックシート２３と接合される。部分接合部３４は、例えば、硬化したホットメルト接着剤であり、吸収コア２２の下面において２つの非接合領域２２３の間の領域に部分的に存在する。２つの非接合領域２２３の間において、吸収コア２２とバックシート２３とが非接合であってもよい。
【００２８】
幅方向における各側部２２１の外側近傍では、トップシート２１とバックシート２３とが、第２接合部３２により互いに接合される。第２接合部３２は、例えば、硬化したホットメルト接着剤である。第２接合部３２は、股下部１１において長手方向に延びる。本実施の形態では、第２接合部３２は、吸収コア２２の全周を囲むように設けられる。すなわち、吸収コア２２の全周囲において、トップシート２１とバックシート２３とが互いに接合される。
【００２９】
上述のホットメルト接着剤としては、ポリオレフィン系、ゴム系、酢酸ビニル系等のものが利用される。他の種類の接着剤が用いられてもよい。また、トップシート２１とバックシート２３との接合は、熱融着接合や超音波接合等により行われてもよい。この場合、上記第２接合部３２は、トップシート２１とバックシート２３とが互いに接合された部位である。ホットメルト接着剤を用いる他の部分の接合も、熱融着接合や超音波接合等により行われてもよい。
【００３０】
吸収性物品１は、長手方向に延びる一対の弾性部材２４をさらに備える。一対の弾性部材２４は、吸収性物品１の両側部に設けられる。詳細には、各弾性部材２４は、幅方向における側部２２１の外側において、トップシート２１とバックシート２３との間に配置される。弾性部材２４は、伸張状態で第２接合部３２によりトップシート２１およびバックシート２３に接合される。弾性部材２４としては、例えば、ポリウレタン糸、帯状のポリウレタンフィルム、糸状または帯状の天然ゴム等が利用され、図１の例では、１本または複数本のポリウレタン糸が弾性部材２４として利用される。
【００３１】
吸収性物品１は、折り畳まれた状態で所定の包装袋に収容される。吸収性物品１を折り畳む際には、長手方向に延びるとともに幅方向に離れた２つの折曲線Ｆ１（図１中に一点鎖線にて示す。）により、吸収性物品１が、トップシート２１を内側にして折り曲げられる。また、幅方向に延びるとともに長手方向に離れた２つの折曲線Ｆ２（図１中に一点鎖線にて示す。）により、前方部および後方部を股下部１１に重ねるように、吸収性物品１が折り曲げられる。長手方向に延びる上記２つの折曲線Ｆ１は、吸収コア２２に重なっており、吸収コア２２において、幅方向における各折曲線Ｆ１の外側の部位が、側部２２１となる。このように、吸収性物品１が包装袋に収容された状態では、股下部１１における吸収コア２２の両側部２２１が、２つの折曲線Ｆ１によりトップシート２１側に折り曲げられている。
【００３２】
図３は、吸収性物品１の断面図であり、吸収性物品１を伸張していない状態における股下部１１の断面を示している。包装袋から取り出された吸収性物品１は、広げられた状態で外装物品４（図３中に二点鎖線にて示す。）の内側に取り付けられ、当該外装物品４が着用者に装着される。吸収性物品１では、股下部１１において弾性部材２４が収縮することにより、第２接合部３２により互いに接合されたトップシート２１およびバックシート２３の部位が、着用者側（図３の上側であり、外装物品４とは反対側）に向かって立ち上がる。また、吸収コア２２では、各側部２２１が部分接合部３３側に向かうように、折曲線Ｆ１（図１参照）において折り癖が付けられている。したがって、吸収性物品１の使用時には、各側部２２１が着用者側に向かって立ち上がった状態（以下、「側部起立状態」という。）が形成される。
【００３３】
側部起立状態では、股下部１１における第２接合部３２が側部２２１の下面に近づき、当該側部２２１の縁部２２２とバックシート２３との間に、トップシート２１の一部が引き込まれる。これにより、トップシート２１において、幅方向における第１接合部３１よりも外側の部位には、側部２２１の縁部２２２とバックシート２３との間に入り込んだ入込部２１１と、入込部２１１から幅方向の外側（吸収コア２２から離れる方向）へと広がる外延部２１２とが形成される。図３の吸収性物品１では、弾性部材２４の収縮により、第２接合部３２におけるトップシート２１およびバックシート２３の部位にギャザーが形成されるため、トップシート２１の一部が大きく引き込まれ、入込部２１１が顕著となる。
【００３４】
入込部２１１は、縁部２２２の下面に対向するトップシート２１の部位であり、吸収コア２２における非接合領域２２３の一部を覆う。外延部２１２は、トップシート２１において、入込部２１１とバックシート２３との間に配置される部位と、第２接合部３２と接する部位とを含む。吸収性物品１では、入込部２１１および外延部２１２により、窪み（ポケット）２１３が形成される。窪み２１３は、入込部２１１と外延部２１２との間の凹部である。換言すると、側部起立状態では、側部２２１の縁部２２２の周囲において、トップシート２１の部位が幅方向における外側、かつ、着用者側に向かって突出する凸部となり、当該凸部と第２接合部３２との間に窪み２１３が形成される。
【００３５】
着用者から排泄される排泄物は、吸収性物品１により受けられる。当該排泄物の水分は、吸収コア２２における立ち上がった側部２２１により幅方向の外側へと漏れ出すことが抑制される。また、側部２２１を超えて幅方向の外側へと移動した水分は、窪み２１３により捕捉される。窪み２１３は、透液性のトップシート２１により形成されるため、窪み２１３に捕捉された水分は、速やかに側部２２１の下面へと移動して、吸収コア２２により吸収される。さらに、外延部２１２において幅方向における外側の端部が着用者の肌に接することにより、水分が外延部２１２を超えて幅方向の外側へと移動することが抑制される。
【００３６】
以上に説明したように、吸収性物品１の使用時には、股下部１１における吸収コア２２の各側部２２１が、着用者側に向かって立ち上がった側部起立状態が形成される。そして、側部起立状態において、トップシート２１が、各側部２２１の縁部２２２とバックシート２３との間に入り込んだ入込部２１１と、入込部２１１から幅方向の外側へと広がる外延部２１２とを備える。これにより、水分の捕捉が可能な窪み２１３を簡単な構造で形成することができ、吸収性物品１における横漏れを抑制することができる。
【００３７】
吸収性物品１では、各側部２２１の縁部２２２とバックシート２３との間が非接合であり、幅方向における当該側部２２１の外側においてトップシート２１とバックシート２３とが接合される。これにより、側部起立状態において、側部２２１の縁部２２２とバックシート２３との間にトップシート２１の一部が入り込み易くなり、入込部２１１を容易に形成することができる。また、幅方向における各側部２２１の外側において長手方向に延びる弾性部材２４が設けられる。そして、弾性部材２４の収縮により、側部起立状態が形成されるとともに、外延部２１２においてギャザーが形成される。その結果、入込部２１１をより確実に形成することができる。
【００３８】
吸収性物品１が包装袋に収容された状態では、股下部１１における吸収コア２２の両側部２２１が、長手方向に延びる２つの折曲線Ｆ１によりトップシート２１側に折り曲げられる。これにより、吸収性物品１の使用時において、折曲線Ｆ１を起点として各側部２２１を立ち上がらせることができ、側部起立状態を適切に形成することができる。また、使用時における吸収性物品１では、トップシート２１の外延部２１２が、最も着用者側に配置されるシートとなり、サイドシートを省略しつつ、窪み２１３を形成することが可能となる。その結果、吸収性物品１の製造コストを削減することができる。さらに、吸収コア２２では、切り欠き部およびスリット部を設けることなく、側部起立状態が形成されるため、吸収性物品１の製造コストをさらに削減することができる。
【００３９】
図４は、吸収性物品の他の例を示す図であり、図２と同様に、長手方向および幅方向に吸収性物品１ａを伸張した状態における股下部１１の断面を示している。図４の吸収性物品１ａでは、吸収コア２２の各側部２２１が立ち上がっていない状態において、トップシート２１が、入込部２１１と、外延部２１２とを備える。また、吸収性物品１ａでは、弾性部材２４が省略される。他の構成は、図２と同様である。なお、吸収性物品１ａでは、部分接合部３３，３４の図示を省略している。
【００４０】
入込部２１１は、各側部２２１の縁部２２２とバックシート２３との間に入り込んだ部位であり、外延部２１２は、入込部２１１から幅方向の外側へと広がる部位である。吸収性物品１ａでは、トップシート２１が、各側部２２１の縁部２２２の側面を覆い、縁部２２２の下面とバックシート２３との間において幅方向の外側に折り返される。トップシート２１において、幅方向の外側に折り返された部位（すなわち、外延部２１２）が、第２接合部３２によりバックシート２３に接合される。上述の図２の吸収性物品１では、長手方向および幅方向に伸張した状態において、縁部２２２の下面とバックシート２３とが互いに接触するが、吸収性物品１ａでは、同じ状態において、トップシート２１の存在により縁部２２２の下面がバックシート２３とほぼ非接触となる。
【００４１】
図４の吸収性物品１ａも、図１の吸収性物品１と同様に、折曲線Ｆ１，Ｆ２で折り曲げられた状態で包装袋に収容される。したがって、包装袋から取り出された吸収性物品１ａでは、吸収コア２２の各側部２２１が、着用者側に向かって立ち上がるように折り癖が付けられている。また、吸収性物品１ａの使用時には、図５に示すように、吸収性物品１ａが外装物品４の内側に取り付けられる。外装物品４には、着用者側に向かって立ち上がる一対の側壁部４１が設けられており、図５の例では、側壁部４１により、股下部１１における吸収コア２２の各側部２２１が着用者側に向かって立ち上がり、側部起立状態が形成される。
【００４２】
以上のように、吸収性物品１ａにおいても、トップシート２１が、各側部２２１の縁部２２２とバックシート２３との間に入り込んだ入込部２１１と、入込部２１１から幅方向の外側へと広がる外延部２１２とを備える。これにより、簡単な構造で吸収性物品１ａにおける横漏れを抑制することができる。
【００４３】
上記吸収性物品１，１ａでは様々な変形が可能である。
【００４４】
図３の吸収性物品１では、側部起立状態が形成されることにより、トップシート２１において入込部２１１と外延部２１２とが顕在化するのに対し、図４の吸収性物品１ａでは、側部起立状態の形成の有無にかかわらず、トップシート２１が入込部２１１と外延部２１２とを備える。よって、吸収性物品１，１ａでは、少なくとも側部起立状態において、トップシート２１が、入込部２１１と外延部２１２とを備えればよい。
【００４５】
吸収性物品１では、吸収コア２２とバックシート２３との間の非接合領域２２３、および、トップシート２１とバックシート２３との間の第２接合部３２を設けることにより、トップシート２１と吸収コア２２との間の第１接合部３１を省略する場合でも、側部起立状態において入込部２１１を形成することが可能である。しかしながら、第１接合部３１を省略する場合、各側部２２１の縁部２２２の上方においてトップシート２１が僅かに膨らみ、縁部２２２とバックシート２３との間へのトップシート２１の入り込みにより形成される入込部２１１が小さくなることがある。したがって、側部起立状態において入込部２１１をより確実に形成するには、各側部２２１の縁部２２２とトップシート２１とが接合されていることが好ましい。
【００４６】
入込部２１１および外延部２１２が予め形成される図４の吸収性物品１ａでは、非接合領域２２３を省略する、すなわち、各側部２２１の縁部２２２の下面をバックシート２３に対して接合することも可能である。しかしながら、側部起立状態において大きな窪み２１３を形成するには、縁部２２２の下面とバックシート２３との間が非接合の状態である、すなわち、非接合領域２２３を設けることが好ましい。
【００４７】
外装物品の内側に取り付けられる補助吸収パッドは、頻繁に交換されるため、安価であることが求められる。既述のように、吸収性物品１，１ａでは、サイドシートを省略して製造コストを削減することが可能であるため、吸収性物品１，１ａは、補助吸収パッドに特に適しているといえる。もちろん、吸収性物品１，１ａの構造は、補助吸収パッド以外の吸収性物品、例えば、パンツタイプやテープタイプの使い捨ておむつ等に利用されてもよい。
【００４８】
図５の例と同様に、補助吸収パッドである図２の吸収性物品１では、外装物品４の一対の側壁部４１により側部起立状態を形成することが可能であるため、吸収性物品１において弾性部材２４が省略されてもよい。また、吸収性物品１，１ａを使用する際に、着用者等により、吸収コア２２の各側部２２１が着用者側に向かって折り曲げられてもよく、折曲線Ｆ１を省略することも可能である。
【００４９】
吸収性物品１，１ａでは、ほぼ股下部１１のみにおいて、トップシート２１が入込部２１１と外延部２１２とを備えるが、股下部１１のみならず、前方部または後方部（図１中の部位１２，１３）においても、トップシート２１が入込部２１１と外延部２１２とを備えてもよい。
【００５０】
上記実施の形態および各変形例における構成は、相互に矛盾しない限り適宜組み合わされてよい。
【符号の説明】
【００５１】
１，１ａ    吸収性物品
１１    股下部
２１    トップシート
２２    吸収コア
２３    バックシート
２４    弾性部材
３１    第１接合部
３２    第２接合部
２１１    入込部
２１２    外延部
２２１    （吸収コアの）側部
２２２    （側部の）縁部
Ｆ１，Ｆ２    折曲線
【図１】
2019195556.tif 000003
【図２】
2019195556.tif 000004
【図３】
2019195556.tif 000005
【図４】
2019195556.tif 000006
【図５】
2019195556.tif 000007